(57)【要約】【課題】正当な権限を持つ者だけが電子機器に繋がれた盗難防止用ワイヤの接続のロックを解除できるようにする。【解決手段】盗難防止用ワイヤ１０の鍵部１２のＵＳＢプラグ１３をラップトップコンピュータ３０のＵＳＢポート３１に挿入すると、鍵部１２にて生成された解除番号がラップトップコンピュータ３０に通知され、そこで正当な権限を持つ者のアドレス宛にメール送信される。鍵部１２は、ＵＳＢプラグ１３とＵＳＢポート３１とを機械的にロックする。盗難防止用ワイヤ１０を外すときには、メール送信された解除番号がラップトップコンピュータ３０を介して鍵部１２に通知する。鍵部１２は、記憶しておいた解除番号と通知された解除番号とが一致した場合のみ、ＵＳＢプラグ１３とＵＳＢポート３１との機械的ロックを解除する。【選択図】図１
2007255037.tif 000002
【特許請求の範囲】
【請求項１】
可搬型の電子機器にロック可能に接続される盗難防止用ワイヤにおいて、
前記電子機器に搭載された通信ポートに電気的に接続されるプラグ、前記プラグを前記通信ポートへ挿入後に前記通信ポートと機械的にロック可能にするロック機構、および内部に記憶されている第１の解除番号と前記電子機器から前記通信ポートおよび前記プラグを介して受信される第２の解除番号とに基づいて前記ロック機構を制御する制御手段を有する鍵部と、
一端が前記鍵部に固定されていて他端には固定物に括り付けるための輪を有するワイヤと、
を備えていることを特徴とする盗難防止用ワイヤ。
【請求項２】
前記制御手段は、前記プラグを前記通信ポートへ挿入するたびに異なる前記第１の解除番号を生成し、生成された前記第１の解除番号を前記第２の解除番号として前記電子機器に送信し、前記電子機器のメール機能を利用して前記電子機器の管理者にメールで通知させるようにしたことを特徴とする請求項１記載の盗難防止用ワイヤ。
【請求項３】
前記制御手段は、前記電子機器側で前記プラグの前記通信ポートへの接続が認識されたことに応答して前記第１の解除番号をランダムに生成する解除番号生成部、生成された前記第１の解除番号と前記第１の解除番号を前記電子機器を通じてユーザにメールで通知するためのメールアドレスとを記憶しておくデータ格納部、前記第１の解除番号および前記メールアドレスを前記電子機器に送信する送信部、前記電子機器から送信された前記第１の解除番号を前記第２の解除番号として受信する受信部、前記第１の解除番号と前記第２の解除番号とを比較判定する判定部、および前記送信部による前記第１の解除番号および前記メールアドレスの送信後に前記ロック機構をロックするよう制御するとともに前記判定部の判定結果に従って前記ロック機構のロックを解除するよう制御する制御部を有することを特徴とする請求項１記載の盗難防止用ワイヤ。
【請求項４】
前記制御手段は、ユニークな識別番号が前記第１の解除番号として記憶される識別番号格納部、前記電子機器側で前記プラグの前記通信ポートへの接続が認識されたことに応答して前記識別番号を前記電子機器に送信する送信部、スマートカードに記憶されていて前記電子機器から前記第２の解除番号として受信したカード番号と前記識別番号とを比較判定する判定部、および前記電子機器側で前記送信部により送信した前記識別番号と前記カード番号とが一致していることに応答して前記ロック機構をロックするよう制御するとともに前記判定部の判定結果に従って前記ロック機構のロックを解除するよう制御する制御部を有することを特徴とする請求項１記載の盗難防止用ワイヤ。
【請求項５】
可搬型の電子機器にロック可能に接続される盗難防止用ワイヤを用いた盗難防止方法において、
コンピュータにより、
解除番号生成手段が、前記電子機器側で前記盗難防止用ワイヤが有するプラグの前記電子機器に搭載された通信ポートへの電気的な接続が認識されたことに応答して、第１の解除番号をランダムに生成するステップと、
データ格納手段が、生成された前記第１の解除番号を記憶するステップと、
送信手段が、前記第１の解除番号および前記第１の解除番号を前記電子機器を通じてユーザにメールで通知するための前記データ格納手段によりあらかじめ記憶されたメールアドレスを前記電子機器に送信するステップと、
ロック制御手段が、前記送信手段による前記第１の解除番号および前記メールアドレスの送信後に、前記プラグを前記通信ポートへ挿入後に前記通信ポートと機械的にロック可能にするロック機構をロックするよう制御するステップと、
受信手段が、前記電子機器から第２の解除番号を受信するステップと、
判定手段が、前記第１の解除番号と前記第２の解除番号とを比較判定するステップと、
解除制御手段が、前記判定手段の判定結果に従って前記ロック機構のロックを解除するよう制御するステップと、
の処理が実行されることを特徴とする盗難防止方法。
【発明の詳細な説明】
【技術分野】
【０００１】
本発明は盗難防止用ワイヤに関し、特に可搬型の電子機器を安全に接続しておくための盗難防止用ワイヤに関する。
【背景技術】
【０００２】
業務で使用されている情報処理端末として、卓上の占有面積が小さく机を広く使用できることから、ラップトップコンピュータのような電子機器が広く使用されている。このような電子機器は、小型軽量で携帯可能なことから、職場を離れて、たとえば自宅または出張先で業務を行う際にも職場から持ち出して使用することが行われている。
【０００３】
可搬型の電子機器は、移動が容易であることから盗難に遭う機会が高く、盗難の場合には、内部データの流出が重大な社会問題となる虞がある。このため、可搬型の電子機器を机の脚などに括り付けておく盗難防止用ワイヤを用いて、電子機器を容易に移動できないようにすることが行われている。
【０００４】
このような盗難防止用ワイヤは、電子機器と机の脚などとに括り付けるワイヤと鍵部とから構成され、たとえば、特許文献１に記載のようなものが知られている。この盗難防止用ワイヤによれば、電子機器に係着具を係着しておき、鍵部を貫通しておいたワイヤの一端を机の脚に巻き付け、他端を係着具に挿通した後、鍵部に挿入して施錠することでワイヤの他端と鍵部とをロックするようにしている。これにより、電子機器は、ワイヤを介して机の脚に繋がれるので、盗難を防止することができる。
【特許文献１】特開２００４−３１８４２６号公報
【発明の開示】
【発明が解決しようとする課題】
【０００５】
しかしながら、合鍵を使用すれば盗難防止用ワイヤと電子機器との接続のロックを解除することができるので、その合鍵を持ってさえいれば正当な権限を持たない者であっても盗難防止用ワイヤと電子機器との接続のロックを解除することができてしまう。これにより、電子機器が盗難されてしまうことがあるという問題点があった。
【０００６】
本発明はこのような点に鑑みてなされたものであり、正当な権限を持つ者だけが電子機器との接続のロックを解除できる盗難防止用ワイヤを提供することを目的とする。
【課題を解決するための手段】
【０００７】
本発明では、図１に示したように、盗難防止用ワイヤ１０は、机２０などの固定物に括り付けることができるワイヤ１１と鍵部１２とからなり、鍵部１２は、携帯可能な電子機器であるラップトップコンピュータ３０に電気的に接続して通信することができるＵＳＢプラグ１３と、このＵＳＢプラグ１３をラップトップコンピュータ３０のＵＳＢポート３１に挿入後にＵＳＢポート３１と機械的にロック可能にするロック機構と、そのロック機構を、内部に記憶されている第１の解除番号とラップトップコンピュータ３０からＵＳＢポート３１およびＵＳＢプラグ１３を介して送信されてきた第２の解除番号とに基づいてロックまたはロック解除するように制御する制御部とを有している。
【０００８】
本発明による盗難防止用ワイヤ１０は、第２の解除番号をラップトップコンピュータ３０に入力することでロックを解除できる構成にしたので、物理的な鍵が存在せず、第２の解除番号を管理している正当な権限を持つ者だけがロックを解除することができるようになる。
【発明の効果】
【０００９】
本発明の盗難防止用ワイヤは、物理的な鍵を使うものではなく、鍵部が記憶する第１の解除番号および電子機器から送られてくる第２の解除番号とする電子データを使用するものであるので、電子機器との接続のたびに変更することが可能であり、セキュリティを向上させることができるという利点がある。
【００１０】
また、ロックを解除するために電子機器に入力される第２の解除番号は、電子機器のユーザが管理するのではなく、管理者が管理するようにできるので、ユーザが勝手に電子機器を持ち出すということも防止することができる。
【発明を実施するための最良の形態】
【００１１】
以下、本発明の実施の形態を、ラップトップコンピュータに接続される盗難防止用ワイヤに適用した場合を例に、図面を参照して詳細に説明する。
まず、盗難防止用ワイヤの使用例について説明する。
【００１２】
図１は盗難防止用ワイヤの使用例を示す図である。
盗難防止用ワイヤ１０は、ワイヤ１１と鍵部１２とからなり、その鍵部１２には、ＵＳＢ（Universal Serial Bus）規格のＵＳＢプラグ１３が一体に設けられている。盗難防止用ワイヤ１０のワイヤ１１は、その自由端が輪になっていてその輪を通して机２０の脚に巻き付けられ、ＵＳＢプラグ１３は、ラップトップコンピュータ３０に設けられている汎用の通信ポートであるＵＳＢポート３１に挿入され、電気的に接続される。
【００１３】
ＵＳＢプラグ１３がＵＳＢポート３１に挿入されると、鍵部１２とラップトップコンピュータ３０との間で所定の処理が行われ、鍵部１２がＵＳＢ接続部分を機械的にロックするように制御する。これによって、盗難防止用ワイヤ１０は、ラップトップコンピュータ３０に機械的に繋がれる。
【００１４】
ラップトップコンピュータ３０を移動するために、盗難防止用ワイヤ１０を外す場合には、同様に、鍵部１２とラップトップコンピュータ３０との間で所定の処理が行われ、鍵部１２がＵＳＢ接続部分をアンロックするように制御する。これによって、盗難防止用ワイヤ１０は、ＵＳＢプラグ１３をＵＳＢポート３１から引き抜くことが可能になる。
【００１５】
次に、この盗難防止用ワイヤ１０がラップトップコンピュータ３０に機械的にロックまたはアンロックされ得るロック機構の一例について説明する。
図２はＵＳＢ接続部分のロックおよびアンロックの状態を示す説明図であって、（Ａ）は接続前の状態を示し、（Ｂ）は接続時のアンロック状態を示し、（Ｃ）は接続時のロック状態を示している。図３はアクチュエータの一構成例を示す説明図であって、（Ａ）はアクチュエータのアンロック時の状態を示し、（Ｂ）はアンロック時のカム位置を示し、（Ｃ）はアクチュエータのロック時の状態を示し、（Ｄ）はロック時のカム位置を示し、（Ｅ）は往復運動を回転運動に変換する部分を示している。
【００１６】
ラップトップコンピュータ３０に搭載されるＵＳＢポート３１は、図２の（Ａ）に示したように、そのハウジング３２にＵＳＢプラグ１３が挿抜される方向に延びるガイド３３が内設され、その図の下方の面には複数のコンタクト３４が担持されている。また、ハウジング３２は、その図の下方の開口端に、ＵＳＢプラグ１３が挿入されるときの高さ方向の位置決めを行う突起部３５が突設されている。
【００１７】
一方、ＵＳＢプラグ１３も、同様に、ハウジング１４にガイド１５が内設され、その図の上方の面に複数のコンタクト１６が担持されている。ガイド１５の中には、回転軸１７とその一端に固定されたカム１８とが設けられている。回転軸１７の他端は、図３の（Ｅ）に示したように、スリーブ１９が接続され、そのスリーブ１９には、その長手方向の軸線に対して斜めに穿設されたガイド溝１９ａを有している。
【００１８】
このスリーブ１９は、図３の（Ａ）に示したように、回転軸１７を９０度回動させるアクチュエータ２１が設けられている。アクチュエータ２１は、スリーブ２２の両端に永久磁石２３，２４が配設され、その間に、プランジャ２５が軸線方向に進退自在に配置されている。プランジャ２５は、永久磁石２３を遊貫して延びるシャフト２６が固定されている。シャフト２６は、その先端がスリーブ１９に嵌入されており、スリーブ１９のガイド溝１９ａを貫通するようにガイドピン２７が植設されている。そして、スリーブ２２の外周には、コイル２８が巻回されている。
【００１９】
ここで、ＵＳＢ接続部分をロックするには、まず、図２の（Ｂ）に示したように、ＵＳＢプラグ１３をＵＳＢポート３１に挿入し、カム１８を回転させるようにする。すなわち、ＵＳＢプラグ１３をＵＳＢポート３１に挿入するとき、アクチュエータ２１は、図３の（Ａ）に示したように、プランジャ２５が永久磁石２４に吸着されており、そのとき、カム１８は、図３の（Ｂ）に示したように、長径が水平方向になっていて、ハウジング１４の中に収められている。ここで、コイル２８に電流を流すことにより、プランジャ２５が永久磁石２４とは反発し、永久磁石２３とは吸引することで、図３の（Ｃ）に示したように、図の右方向へ移動する。このとき、シャフト２６に固定されたガイドピン２７が図の右方向へ直進するにつれてスリーブ１９が回転していき、プランジャ２５が永久磁石２３に吸着すると、スリーブ１９が９０度回転してカム１８は、図３の（Ｄ）に示したように、長径が垂直方向になる。これにより、カム１８は、図２の（Ｃ）に示したように、突起部３５に係合された状態になり、ＵＳＢプラグ１３をＵＳＢポート３１から抜くことができなくなる。
【００２０】
逆に、ＵＳＢ接続部分をアンロックするには、コイル２８にロック時と逆方向の電流を流すことにより、アクチュエータ２１が図３の（Ｃ）に示した状態から（Ａ）に示した状態に遷移するので、カム１８が図３の（Ｄ）に示した状態から（Ｂ）に示した状態に遷移し、ＵＳＢ接続部分は図２の（Ｃ）に示したロック状態から（Ｂ）に示したアンロック状態に移行することができる。
【００２１】
次に、盗難防止用ワイヤ１０の鍵部１２が備える制御部のハードウェア構成について説明する。
図４は鍵部のハードウェア構成を示すブロック図である。
【００２２】
鍵部１２は、ＵＳＢ接続部分のロックまたはアンロックを制御する制御部４０を備えている。この制御部４０は、ＣＰＵ（Central Processing Unit）４１、ＲＯＭ（Read Only Memory）４２、ＲＡＭ（Random Access Memory）４３、入出力インタフェース４４および駆動回路４５を有し、これらはバス４６によって相互に接続されている。
【００２３】
ＣＰＵ４１は、この制御部４０の全体の制御を司っている。ＲＯＭ４２には、ＣＰＵ４１が実行するＯＳ（Operating System）のプログラムやロック制御に必要なアプリケーションプログラムなどが格納されている。ＲＡＭ４３には、ＯＳのプログラムやアプリケーションプログラムの少なくとも一部が一時的に格納され、ＣＰＵ４１の処理に必要な各種データが格納される。この制御部４０は、好ましくは、これらの機能を集積化した１チップＩＣによって構成される。
【００２４】
入出力インタフェース４４は、ＵＳＢプラグ１３を介してラップトップコンピュータ３０と通信を行う。そして、駆動回路４５は、鍵部１２のアクチュエータ２１を駆動制御する。
【００２５】
次に、盗難防止用ワイヤ１０と接続されるラップトップコンピュータ３０のハードウェア構成について説明する。
図５はラップトップコンピュータのハードウェア構成を示すブロック図である。
【００２６】
ラップトップコンピュータ３０は、ＣＰＵ５１を有し、このＣＰＵ５１は、ＲＯＭ５２、ＲＡＭ５３、ハードディスクドライブ（ＨＤＤ：Hard Disk Drive）５４、グラフィック処理装置５５、入出力インタフェース５６および通信インタフェース５７がバス５８を介して相互に接続されている。
【００２７】
ＣＰＵ５１は、ラップトップコンピュータ３０の全体の制御を司っている。ＲＯＭ５２には、周辺機器を制御するプログラム群であるＢＩＯＳ（Basic Input Output System）が格納される。ＲＡＭ５３には、ＣＰＵ５１が実行するＯＳのプログラムや各種アプリケーションプログラムの少なくとも一部が一時的に格納され、ＣＰＵ５１の処理に必要な各種データが格納される。ＨＤＤ５４には、ＯＳのプログラムやアプリケーションプログラムなどが格納される。
【００２８】
このアプリケーションプログラムには、盗難防止用ワイヤ１０を制御するロック・アンロック処理プログラム、メールアドレスに従ってメールを送信するメール送信プログラム、ユーザがメールを閲覧するためのメール受信プログラムなどを含んでいる。
【００２９】
グラフィック処理装置５５は、アンロック処理プログラムなどの実行時にＣＰＵ５１からの命令に従い、画像をモニタに表示させる。入出力インタフェース５６は、外部接続されるスマートカードリーダ、盗難防止用ワイヤ１０などとのデータの送受信を行い、通信インタフェース５７は、インターネットなどのネットワークを介してメールサーバなどに接続される。
【００３０】
次に、以上のハードウェア構成により実現される第１の実施の形態に係る盗難防止用ワイヤ１０およびこれが接続されるラップトップコンピュータ３０の機能構成について説明する。
【００３１】
図６は第１の実施の形態に係る盗難防止用ワイヤおよびラップトップコンピュータの機能構成を示すブロック図である。
盗難防止用ワイヤ１０の鍵部１２に設けられた制御部４０は、解除番号生成部６１、データ格納部６２、解除番号送信部６３、アドレス送信部６４、ロック制御部６５、解除番号受信部６６、判定部６７および解除制御部６８を備えている。
【００３２】
解除番号生成部６１は、盗難防止用ワイヤ１０のＵＳＢプラグ１３がラップトップコンピュータ３０のＵＳＢポート３１に接続された場合、ＵＳＢ接続部分のロックを解除するときに使用される解除番号をランダムに生成し、データ格納部６２は、その生成された解除番号とあらかじめ設定された正当なユーザのメールアドレスとを格納する。解除番号送信部６３およびアドレス送信部６４は、生成された解除番号およびデータ格納部６２にあらかじめ設定されたメールアドレスをラップトップコンピュータ３０に送信する。ロック制御部６５は、ＵＳＢ接続部分を機械的にロックするよう制御する。
【００３３】
解除番号受信部６６は、ラップトップコンピュータ３０を移動する際に、ラップトップコンピュータ３０から解除番号を受信する。判定部６７は、受信された解除番号とデータ格納部６２に格納しておいた解除番号とが一致するか否かを判定し、解除制御部６８は、ＵＳＢ接続部分の機械的なロックを解除するよう制御する。
【００３４】
ラップトップコンピュータ３０は、接続認識部７１、解除番号受信部７２、アドレス受信部７３、メール通知部７４、ロック要求部７５、解除受付部７６および解除要求部７７を備えている。
【００３５】
接続認識部７１は、ＵＳＢプラグ１３のＵＳＢポート３１への接続を認識し、解除番号受信部７２およびアドレス受信部７３は、それぞれ鍵部１２から送信された解除番号およびメールアドレスを受信する。メール通知部７４は、受信した解除番号を含むメールを受信したメールアドレス宛てに送信するよう所定のメール送信プログラムに通知する。ロック要求部７５は、ＵＳＢ接続部分のロックを鍵部１２の制御部４０に要求する。
【００３６】
解除受付部７６は、ラップトップコンピュータ３０を移動する際に、解除要求を受け付ける。解除要求部７７は、解除要求の受け付け時にユーザ入力された解除番号とともに鍵部１２の制御部４０にＵＳＢ接続部分のロック解除を要求する。
【００３７】
次に、盗難防止用ワイヤ１０のＵＳＢプラグ１３とラップトップコンピュータ３０のＵＳＢポート３１とのＵＳＢ接続部分を機械的にロックする過程の状態遷移について説明する。
【００３８】
図７はＵＳＢ接続部分をロックする過程の状態遷移を示す図である。
ＵＳＢ接続部分をロックするとき、盗難防止用ワイヤ１０の動作は、鍵部１２の上記機能を実行するプログラムによって実現され、ラップトップコンピュータ３０の動作は、上記機能を実行するプログラム、すなわちロック処理プログラムおよびメール送信プログラムによって実現される。
【００３９】
まず、ＵＳＢプラグ１３がＵＳＢポート３１に接続されると、ラップトップコンピュータ３０では、接続認識部７１によりＵＳＢ接続が認識され（ステップＳ１１）、ロック処理プログラムが起動して、鍵部１２に解除番号を要求する（ステップＳ１２）。
【００４０】
鍵部１２の制御部４０では、ラップトップコンピュータ３０からの解除番号の要求に応えて、解除番号生成部６１が解除番号を生成し（ステップＳ１３）、生成された解除番号は、データ格納部６２へ格納されるとともに解除番号送信部６３によりラップトップコンピュータ３０へ送信される（ステップＳ１４）。
【００４１】
ラップトップコンピュータ３０では、解除番号受信部７２が鍵部１２から送信された解除番号を受信し（ステップＳ１５）、続いて、ロック処理プログラムが鍵部１２にアドレスを要求する（ステップＳ１６）。
【００４２】
鍵部１２の制御部４０では、ラップトップコンピュータ３０からのアドレス要求に応えて、アドレス送信部６４がデータ格納部６２にあらかじめ格納されているメールアドレスをラップトップコンピュータ３０に送信する（ステップＳ１７）。
【００４３】
ラップトップコンピュータ３０では、アドレス受信部７３が鍵部１２から送信されたメールアドレスを受信すると（ステップＳ１８）、ロック処理プログラムは、先に受信した解除番号とメールアドレスとをメール送信プログラムに通知する（ステップＳ１９）。
【００４４】
メール送信プログラムは、ロック処理プログラムからの通知を受信すると（ステップＳ２０）、通知された解除番号を内容とするメールをメールアドレスのアドレス宛に送信する（ステップＳ２１）。
【００４５】
ロック処理プログラムは、メール送信プログラムから送信完了の通知を受けると、鍵部１２に対してロックの要求をする（ステップＳ２２）。
鍵部１２の制御部４０では、ラップトップコンピュータ３０からロックの要求を受けると、ロック制御部６５がＵＳＢ接続部のロックを行う（ステップＳ２３）。
【００４６】
なお、メール送信プログラムによって送信されたメールは、ユーザがメール受信プログラムを利用して受信され、正当なユーザは、ＵＳＢ接続部分のロックを解除するために必要な解除番号を含むメールを取得することができる。
【００４７】
次に、盗難防止用ワイヤ１０のＵＳＢプラグ１３とラップトップコンピュータ３０のＵＳＢポート３１とのＵＳＢ接続部分のロックを解除する過程の状態遷移について説明する。
【００４８】
図８はＵＳＢ接続部分のロックを解除する過程の状態遷移を示す図である。
鍵部１２の制御部４０およびラップトップコンピュータ３０は、ＵＳＢ接続のロックを解除する場合、以下のステップに従って処理を実行する。
【００４９】
ＵＳＢ接続部分のロックを解除してユーザがラップトップコンピュータ３０を移動する場合、まず、ユーザはラップトップコンピュータ３０のアンロック処理プログラムを起動する。アンロック処理プログラムの解除受付部７６は、ユーザに解除番号の入力を促し、ユーザがメールによって通知された解除番号を入力することでロック解除要求を受け付ける（ステップＳ３１）。そして、解除要求部７７が鍵部１２の制御部４０に入力された解除番号とともにロック解除の要求を送信する（ステップＳ３２）。
【００５０】
鍵部１２の制御部４０では、解除番号受信部６６がラップトップコンピュータ３０からのロック解除要求を解除番号とともに受信すると（ステップＳ３３）、判定部６７がデータ格納部６２に格納されている解除番号とラップトップコンピュータ３０から通知された解除番号とを比較し、一致しているかどうかを判定する（ステップＳ３４）。解除番号が一致している場合は、判定部６７は解除可と判定し（ステップＳ３５）、解除制御部６８によってＵＳＢ接続部分のロックを解除する。解除番号が一致していない場合、判定部６７は解除不可と判定し（ステップＳ３６）、ロックの解除は行われない。なお、判定部６７は、アンロック処理プログラムに対して、判定結果を通知するようにしてもよい。このとき、アンロック処理プログラムは、解除番号が一致している場合には解除が成功している旨の表示をし、解除番号が一致していない場合には、再度、ユーザに正しい解除番号の入力を促すようにしてもよい。
【００５１】
なお、上記の実施の形態では、メールのアドレスは、ラップトップコンピュータ３０の正当なユーザのアドレスとして説明したが、ラップトップコンピュータ３０の管理者のアドレスとしてもよい。この場合、管理者の承認を得てからでないとロックを解除することができないことになる。これにより、ラップトップコンピュータ３０の移動や持ち出しに関する管理が容易になる。
【００５２】
次に、図４のハードウェア構成により実現される第２の実施の形態に係る盗難防止用ワイヤ１０およびこれが接続される図５のハードウェア構成により実現されるラップトップコンピュータ３０ａの機能構成について説明する。
【００５３】
図９は第２の実施の形態に係る盗難防止用ワイヤおよびラップトップコンピュータの機能構成を示すブロック図である。
盗難防止用ワイヤ１０の鍵部１２に設けられた制御部４０ａは、識別番号格納部８１、識別番号送信部８２、ロック制御部８３、カード番号受信部８４、判定部８５および解除制御部８６を備えている。
【００５４】
識別番号格納部８１は、この盗難防止用ワイヤ１０に割り当てられたユニークな識別番号があらかじめ格納されている。識別番号送信部８２は、ラップトップコンピュータ３０ａからの要求により、識別番号格納部８１に格納されている識別番号をラップトップコンピュータ３０ａに送信する。ロック制御部８３は、ラップトップコンピュータ３０ａからロックの要求があった場合に、ＵＳＢ接続部分を機械的にロックするよう制御する。
【００５５】
カード番号受信部８４は、ラップトップコンピュータ３０ａを移動する際に、ラップトップコンピュータ３０ａからロックの解除に必要なカード番号を受信する。判定部８５は、受信されたカード番号と識別番号格納部８１に格納しておいた識別番号とが一致するか否かを判定し、解除制御部６８は、ＵＳＢ接続部分の機械的なロックを解除するよう制御する。
【００５６】
ラップトップコンピュータ３０ａは、接続認識部９１、識別番号受信部９２、カード番号取得部９３、判定部９４、ロック要求部９５、解除受付部９６および解除要求部９７を備えている。
【００５７】
接続認識部９１は、ＵＳＢプラグ１３のＵＳＢポート３１への接続を認識し、鍵部１２の制御部４０ａに識別番号の送信を要求する。識別番号受信部９２は、制御部４０ａから送信された識別番号を受信する。カード番号取得部９３は、スマートカードに記憶されているカード番号をラップトップコンピュータ３０ａに接続したカードリーダを介して取得する。判定部９４は、取得されたカード番号と受信した識別番号とが一致するか否かを判定し、ロック要求部９５は、ＵＳＢ接続部分のロックを鍵部１２の制御部４０ａに要求する。
【００５８】
解除受付部９６は、ラップトップコンピュータ３０ａを移動する際に、解除要求を受け付ける。解除要求部９７は、解除要求の受け付け時にカード番号取得部９３によって取得したカード番号とともに鍵部１２の制御部４０ａにＵＳＢ接続部分のロック解除を要求する。
【００５９】
次に、盗難防止用ワイヤ１０のＵＳＢプラグ１３とラップトップコンピュータ３０ａのＵＳＢポート３１とのＵＳＢ接続部分を機械的にロックする過程の状態遷移について説明する。
【００６０】
図１０はＵＳＢ接続部分をロックする過程の状態遷移を示す図である。
ここで、盗難防止用ワイヤ１０には、スマートカードが付属されており、そのスマートカードには、制御部４０ａの識別番号格納部８１に格納されている識別番号と同じまたは対応するカード番号が記憶されているとする。スマートカードは、盗難防止用ワイヤ１０をロックするときおよびロックを解除するときに使用される。
【００６１】
まず、ＵＳＢプラグ１３がＵＳＢポート３１に接続されると、ラップトップコンピュータ３０ａでは、接続認識部９１によりＵＳＢ接続が認識され（ステップＳ４１）、ロック処理プログラムが起動して、鍵部１２に識別番号を要求する（ステップＳ４２）。
【００６２】
鍵部１２の制御部４０ａでは、ラップトップコンピュータ３０ａからの識別番号の要求に応えて、識別番号送信部８２が識別番号格納部８１に格納されている識別番号をラップトップコンピュータ３０ａへ送信する（ステップＳ４３）。
【００６３】
ラップトップコンピュータ３０ａでは、識別番号受信部９２が制御部４０ａから送信された識別番号を受信し（ステップＳ４４）、判定部９４が受信した識別番号とカード番号取得部９３にて取得したカード番号とを比較し、一致しているかどうかを判定する（ステップＳ４５）。両者が一致していれば、判定部９４はロック可と判定し（ステップＳ４６）、制御部４０ａに対してロック要求を送信する（ステップＳ４７）。
【００６４】
鍵部１２の制御部４０ａでは、ラップトップコンピュータ３０ａからのロック要求を受け、ロック制御部８３がＵＳＢ接続部のロックを行う（ステップＳ４８）。
ラップトップコンピュータ３０ａの判定部９４による判定結果において、識別番号とカード番号とが一致しない場合には、判定部９４はロック不可と判断し（ステップＳ４９）、制御部４０ａに対するロック要求は送信しない。
【００６５】
次に、盗難防止用ワイヤ１０のＵＳＢプラグ１３とラップトップコンピュータ３０ａのＵＳＢポート３１とのＵＳＢ接続部分のロックを解除する過程の状態遷移について説明する。
【００６６】
図１１はＵＳＢ接続部分のロックを解除する過程の状態遷移を示す図である。
盗難防止用ワイヤ１０の鍵部１２の制御部４０ａおよびラップトップコンピュータ３０ａは、ＵＳＢ接続のロックを解除する場合、以下のステップに従って処理を実行する。
【００６７】
ＵＳＢ接続部分のロックを解除してユーザがラップトップコンピュータ３０ａを移動する場合、まず、ユーザはラップトップコンピュータ３０ａのアンロック処理プログラムを起動する。アンロック処理プログラムの解除受付部９６は、ユーザから解除指示を受けると（ステップＳ５１）、解除要求部９７は制御部４０ａに対してカード番号取得部９３が取得したカード番号とともにロック解除の要求を送信する（ステップＳ５２）。
【００６８】
鍵部１２の制御部４０ａでは、カード番号受信部８４がラップトップコンピュータ３０ａからのロック解除要求をカード番号とともに受信すると（ステップＳ５３）、判定部８５が識別番号格納部８１に格納されている識別番号とラップトップコンピュータ３０ａから通知されたカード番号とを比較し、一致しているかどうかを判定する（ステップＳ５４）。両者の番号が一致している場合、判定部８５は解除可と判定し（ステップＳ５５）、解除制御部８６によってＵＳＢ接続部分のロックを解除する。番号が一致していない場合、判定部８５は解除不可と判定し（ステップＳ５６）、ロックの解除は行われない。
【図面の簡単な説明】
【００６９】
【図１】盗難防止用ワイヤの使用例を示す図である。
【図２】ＵＳＢ接続部分のロックおよびアンロックの状態を示す説明図であって、（Ａ）は接続前の状態を示し、（Ｂ）は接続時のアンロック状態を示し、（Ｃ）は接続時のロック状態を示している。
【図３】アクチュエータの一構成例を示す説明図であって、（Ａ）はアクチュエータのアンロック時の状態を示し、（Ｂ）はアンロック時のカム位置を示し、（Ｃ）はアクチュエータのロック時の状態を示し、（Ｄ）はロック時のカム位置を示し、（Ｅ）は往復運動を回転運動に変換する部分を示している。
【図４】鍵部のハードウェア構成を示すブロック図である。
【図５】ラップトップコンピュータのハードウェア構成を示すブロック図である。
【図６】第１の実施の形態に係る盗難防止用ワイヤおよびラップトップコンピュータの機能構成を示すブロック図である。
【図７】ＵＳＢ接続部分をロックする過程の状態遷移を示す図である。
【図８】ＵＳＢ接続部分のロックを解除する過程の状態遷移を示す図である。
【図９】第２の実施の形態に係る盗難防止用ワイヤおよびラップトップコンピュータの機能構成を示すブロック図である。
【図１０】ＵＳＢ接続部分をロックする過程の状態遷移を示す図である。
【図１１】ＵＳＢ接続部分のロックを解除する過程の状態遷移を示す図である。
【符号の説明】
【００７０】
１０  盗難防止用ワイヤ
１１  ワイヤ
１２  鍵部
１３  ＵＳＢプラグ
２０  机
３０  ラップトップコンピュータ
３１  ＵＳＢポート
【図１】
2007255037.tif 000003
【図２】
2007255037.tif 000004
【図３】
2007255037.tif 000005
【図４】
2007255037.tif 000006
【図５】
2007255037.tif 000007
【図６】
2007255037.tif 000008
【図７】
2007255037.tif 000009
【図８】
2007255037.tif 000010
【図９】
2007255037.tif 000011
【図１０】
2007255037.tif 000012
【図１１】
2007255037.tif 000013